(57)【要約】      （修正有）【課題】デザイン障子等の枠体内を従来よりも広い面積とした障子に好適に使用し、さらに、貼られた後に弛みが無い、良好な仕上がりを容易に得ることができる障子紙を提供する。【解決手段】広狭の面積の異なる面を構成する枠体と、該枠体に貼付され、かつ等間隔に凹凸リブを形成された障子紙とを有することを特徴とするリブ付き障子紙で、前記凹凸リブが、所定間隔に配置した多数の凹孔または凸部からなることを特徴とし、前記凹凸リブが、所定間隔に形成した多数の凹溝からなることを特徴とする。【選択図】図３
0003142451.tif 000002
【実用新案登録請求の範囲】
【請求項１】
広狭の面積の異なる面を構成する枠体と、該枠体に貼付され、かつ等間隔に凹凸リブを形成された障子紙とを有することを特徴とするリブ付き障子紙。
【請求項２】
前記凹凸リブが、所定間隔に配置した多数の凹孔または凸部からなることを特徴とする請求項１に記載のリブ付き障子紙。
【請求項３】
前記凹凸リブが、所定間隔に形成した多数の凹溝からなることを特徴とする請求項１に記載のリブ付き障子紙。
【考案の詳細な説明】
【技術分野】
【０００１】
この考案は、建具の障子に関し、デザイン障子等の、枠体内を従来よりも広い面積とした障子に好適に使用し得る障子紙を提供しようとするものである。
【背景技術】
【０００２】
従来の障子において、障子紙は所定の間隔に配置した桟に糊付けされている。そして、障子紙の貼付作業は、例えば貼り替えの場合、障子紙を剥がし、糊を落として桟の前処理を行い、桟に糊付けをして障子紙を貼り付け、その後、余った障子紙の部分を切り落とすといった作業によって行われていた。通常、貼り代え後の障子紙には霧を吹きかけ、障子紙を緊張させることが行なわれている。
【０００３】
これに対して、登録実用新案第３１１５３７３号公報（特許文献１参照）には、第１および第２の組子を用い、この一対の組子を永久磁石で着脱自在とすることにより、一対の組子内に障子紙を挟み込むことにより、障子紙を簡単に脱着することができ、かつ弛みのない障子紙を提供することが提案されている。
【特許文献１】登録実用新案第３１１５３７３号公報
【考案の開示】
【考案が解決しようとする課題】
【０００４】
しかしながら、デザイン障子等の、枠体内を従来よりも広い面積とした障子においては、障子紙の弛みが発生してしまい、障子紙の各部位にかかる負荷にばらつきが発生して強度的な問題が発生したり、また見た目にも明らかな違和感があった。
【０００５】
したがってこの考案の目的は、デザイン障子等の枠体内を従来よりも広い面積とした障子に好適に使用し得る障子紙を提供することにある。
さらに、貼られた後に弛みが無い、良好な仕上がりを容易に得ることができる障子紙を提供することにある。
【課題を解決するための手段】
【０００６】
すなわちこの考案のリブ付き障子紙は、広狭の面積の異なる面を構成する枠体と、該枠体に貼付され、かつ等間隔に凹凸リブを形成された障子紙とを有することを特徴とするものである。
【０００７】
この考案のリブ付き障子紙は、前記凹凸リブが、所定間隔に配置した多数の凹孔または凸部からなることをも特徴とするものである。
【０００８】
この考案のリブ付き障子紙は、前記凹凸リブが、所定間隔に形成した多数の凹溝からなることをも特徴とするものである。
【０００９】
この考案のリブ付き障子紙に使用する障子紙としては、従来の和紙を用いた障子紙、その他の紙、布若しくは不織布等の天然若しくは合成繊維、プラスチックシート及び樹脂シートからなるグループから選択された、少なくとも１つが用いられてもよい。これにより、それぞれの材質特有の質感及び特性を享受することができる。
またこの考案のリブ付き障子紙は、デザイン障子等の枠体内を従来よりも広い面積とした障子に好適に使用し得る障子紙であって、需要者の好みにあった、より自由な絵柄を採用することができる障子を提供することができる。
【考案の効果】
【００１０】
以上のようにこの考案によるリブ付き障子紙によれば、障子紙の弛みまたは皺等が無く、見た目にも違和感のない良好な仕上がりが得られる。また、障子紙のデザインとして、需要者の好みにあった、より自由な絵柄を採用することができるとともに、種々の材質の障子紙を選択することにより、建具として種々の質感、特性を享受することができる。
さらに、この考案によるリブ付き障子紙によれば、凹凸リブの存在により平面強度に優れており、また凹凸リブの存在によって調湿効果にも優れた障子とすることができる。
【考案を実施するための最良の形態】
【００１１】
以下、図面に基いてこの考案のリブ付き障子紙の実施の形態を詳細に説明する。
図１はこの考案のリブ付き障子紙の１実施例を示す正面図、図２はその要部拡大断面図、図３は要部拡大図、図４はこの考案のリブ付き障子紙の他の実施例を示す正面図、図５はこの考案のリブ付き障子紙のさらに別の実施例を示す正面図である。
【００１２】
図面は、この考案のリブ付き障子紙の１実施例を示すものであり、図１のように障子１０の枠体１１内部には、アーチ状の桟１２を複数組み合わせた木の葉状のＢ面が４つ配置されている。この４つの木の葉状のＢ面は、その中心を長さ方向に通る線分でひし形に形成されている。この木の葉状のＢ面の内側には４叉状のＡ面が、外側の枠体１１との間には内側が円弧状のＬ字状のＣ面が配置されている。
もちろん、前記桟１２としては、障子１０の種々のデザインに応じた適宜の形状とすることができる。
【００１３】
そこでこの考案のリブ付き障子紙は、図２および図３に示すように凹凸リブ１３がほぼ全面に形成されている。
この凹凸リブ１３は、図２および図３に示すような、所定間隔に配置した不連続の多数の凹孔または凸部からなる凹凸リブであっても、また所定間隔に形成した多数の凹溝からなる凹凸リブであってもよい。
【００１４】
この凹凸リブ１３を構成する凹孔または凸部、あるいは凹溝のサイズは、障子紙に適度な張りを与え、また障子紙の緩みを吸収できるサイズであれば適宜決定することができ、例えば０．５ｍｍ〜２ｍｍ程度の径または溝幅で、深さは０．５ｍｍまでくらいであることが望ましい。
【００１５】
この考案のリブ付き障子紙の利用に際しては、従来の障子紙と同様に障子の枠体１１および枠体１１内の桟１２に通常の接着剤で糊付けするだけでよい。もちろん、感熱性の接着剤を用いたり、表裏両面に設けた桟で挟むようにしてもよい。
【００１６】
図４はこの考案のリブ付き障子紙の他の実施例を示すものであり、障子１０の枠体１１の上下方向のほぼ中央にアーチ状の桟１２を複数組み合わせた木の葉状のＢ面が左右に一対配置され、その上下にはＢ面の端部に三角形のＢ’面が連続している。Ａ面はその中間部分の面である。
【００１７】
図５はこの考案のリブ付き障子紙のさらに別の実施例を示すものであり、各辺をアーチ状の桟１２とした斜めに傾いたひし形のＢ面が中央に配置され、その外側にはＢ’面が配置されている。
図４および図５の実施例においては、障子紙の各部位にかかる負荷にばらつきが発生して、広い面積を有するＡ面またはＢ面の内側や、細い桟１２によって張力のかかる部位の外側などに細い縦皺が発生しやいところ、この考案のように凹凸リブを形成した場合にはこのような縦皺を解消することができたのである。
【産業上の利用可能性】
【００１８】
以上のようにこの考案によるリブ付き障子紙によれば、障子紙のデザインとして、需要者の好みにあった、より自由な絵柄を採用することができるとともに、種々の材質の障子紙を選択することができるので、通常の和風の障子としてのみならず、洋風の間仕切りに使用する障子として、また、その他適宜用途に使用する障子に適用することができる。
【図面の簡単な説明】
【００１９】
【図１】この考案のリブ付き障子紙の１実施例を示す正面図である。
【図２】その要部拡大断面図である。
【図３】要部拡大図である。
【図４】この考案のリブ付き障子紙の他の実施例を示す正面図である。
【図５】この考案のリブ付き障子紙のさらに別の実施例を示す正面図である。
【符号の説明】
【００２０】
１０  障子
１１  枠体
１２  桟
１３  凹凸リブ
Ａ  ４叉状の面
Ｂ  木の葉状の面
Ｃ  内側が円弧状のＬ字状の面
【図１】
0003142451.tif 000003
【図２】
0003142451.tif 000004
【図３】
0003142451.tif 000005
【図４】
0003142451.tif 000006
【図５】
0003142451.tif 000007